(57)【要約】      （修正有）【課題】照明の向きを調整でき、避難する際に、避難ルートの路面状況をクリアに見ることができるウォールランプの構造を提供する。【解決手段】ボックス、基体、回転台及び少なくとも一つのランプ筒を含み、ボックスを壁に嵌めこみ、基体の一端を該ボックスに設置し、別端は内側に曲面状の基体槽を設け、回転台の一端を基体槽に設置し、回転台は基体槽のカーブに沿って回転することができ、ランプ筒を回転台の片端に固定し、ランプ筒に一つの発光部品を設置する。【選択図】図２
0003163567.tif 000002
【実用新案登録請求の範囲】
【請求項１】
ボックス、基体、回転台及び少なくとも一つのランプ筒を含み、
該ボックスを壁に嵌めこみ、
該基体の一端を該ボックスに設置し、別端は内側に曲面状の基体槽を設け、
該回転台の一端を該基体槽に設置し、該回転台は該基体槽のカーブに沿って回転することができ、
該ランプ筒を回転台の片端に固定し、該ランプ筒に一つの発光部品を設置することを特徴とする照明の向きを調整できるウォールランプの構造。
【請求項２】
前記基体に固定部を設け、該固定部に少なくとも一つの穴を設置し、固定部品を用いて該穴に通して固定することで、基体をボックスに固定することを特徴とする請求項１記載の照明の向きを調整できるウォールランプの構造。
【請求項３】
前記回転台は反射体及び一つの蓋からなり、該反射体の一端は基体槽に対応して設置し、別端は内側に収納槽を設け、
該蓋を収納槽に密閉固定し、該蓋に少なくとも一つの穴を開け、該ランプ筒は該穴に対応して設置することを特徴とする請求項１記載の照明の向きを調整できるウォールランプの構造。
【請求項４】
前記蓋の外側に光透過鏡を固定することを特徴とする請求項３記載の照明の向きを調整できるウォールランプの構造。
【請求項５】
前記発光部品はＬＥＤランプとすることを特徴とする請求項１記載の照明の向きを調整できるウォールランプの構造。
【請求項６】
前記ボックスの外側にカバーを設置し、該カバーは光透過鏡に合わせて一つの窓を設置することを特徴とする請求項４記載の照明の向きを調整できるウォールランプの構造。
【考案の詳細な説明】
【技術分野】
【０００１】
本考案は照明の向きを調整できるウォールランプの構造に関し、特に照明の照射方向を調整できるデザインであり、ユーザーが最適の照射方向をセレクトできるウォールランプの構造に関する。
【背景技術】
【０００２】
通常ビルや機関、学校、マーケットに家庭などの壁に、緊急照明装置を設置し、停電時の照明として用いることができ、不必要なアクシデントを避け、住民の命の安全を保障し、緊急時に便利である。従来技術の緊急照明装置に含まれるのは、壁に取り付ける外ケースと、ケース内に設置する二次電池、プリント基板、変圧器、発光部品(ＬＥＤランプなど)及び電源ケーブルである。該プリント基板に整流フィルタ回路及び、コントロール基板を設け、該電源コードはコンセントと接続する。正常に電気供給されている場合、ＡＣ１１０Ｖの交流電圧は変圧器によって電圧を下げ、及び整流フィルタ回路の整流により、二次電池を充電するのに適する直流電圧に転換する。停電時の状態では、二次電池が放電し、コントロール基板を通じて、発光部品の発光を駆動し、夜間照明に使用することができる。
【０００３】
従来技術の緊急照明装置は、使用する際に一部の効果を具有するが、構造の外観について工夫をすることがなかったため、壁や壁の角など高いところに設置する緊急照明装置は、往々にして環境の美化にマイナスな影響を与えるため、ユーザーがそれを設置する意欲を下げてしまう。更に緊急照明ランプは通常地面より高い壁や壁の角などに設置するため、故障或いは修理、メンテナンスや照明角度を調整する必要がある場合、梯子などの補助なしにはできない。よって、ユーザーが上って作業するのであっては、時間を費やすことになるうえ、安全面でも問題が残る。
【０００４】
そのほか、火災が発生し、煙が充満する際、緊急照明ランプが照射する光は直ちに煙に遮られてしまい、地面の高低を判断できなくなる。それにより、逃げる際に廊下の壁に沿って、低い姿勢をとると、はっきりと避難ルートが見えず、転倒などの怪我をする可能性もある。
【０００５】
更に現在市販されている緊急照明ランプは全て停電時に使用する緊急照明機能のみであり、日常時階段の照明として使用できないため、実用性の面でも不備があるなど、上記のことを鑑みて、更なる改善が必要であった。
【先行技術文献】
【特許文献】
【０００６】
【特許文献１】特開平１１−２１９６４２号公報
【考案の概要】
【考案が解決しようとする課題】
【０００７】
前記公知構造の欠点を解決するため、本考案は適切な照明の向きに調整でき、最適な照明効果を得るため、避難する際に、クリアに避難ルートの状況が見え、安全に導くことのできる照明の向きを調整できるウォールランプを提供することを主な課題とする。
【課題を解決するための手段】
【０００８】
前記課題を解決するために、本考案は照明の向きを調整できるウォールランプを提供するものである。それに含まれるのはボックス、基体、回転台及び少なくとも一つのランプ筒である。
【０００９】
該ボックスを壁に嵌めこみ、該基体の一端は該ボックスに設置し、別端は内側に曲面状の基体槽を設ける。該回転台の一端を該基体槽に設置し、該基体槽のカーブに沿って回転することができる。該ランプ筒を回転台の片端に固定し、該ランプ筒に一つの発光部品を設置する。
【００１０】
前記基体は更に固定部を設置し、該固定部に少なくとも一つの穴を開け、一つの固定部品を該穴に通して固定することで、該基体をボックス内に固定する。
【００１１】
前記回転台は反射体及び一つの蓋からなり、該反射体の一端は基体槽に対応して設置し、別端は内側に収納槽を設ける。該蓋を収納槽に密閉固定し、該蓋に少なくとも一つの穴を開け、該ランプ筒は該穴に対応する位置にある。
【００１２】
本考案のウォールランプは、更に蓋の外側に光透過鏡を設置することができる。
【００１３】
本考案のウォールランプの発光部品をＬＥＤランプとする。
【００１４】
本考案のウォールランプの外側にカバーを設置し、該カバーは光透過鏡に合わせて一つの窓を開ける。
【考案の効果】
【００１５】
本考案のウォールランプを建物の廊下や部屋などのスイッチボックスと同じように、壁面に嵌めて設置することができ、ユーザーが適切な方向に照明を調整し、良好な照明効果を得ることができるため、避難する際に、避難ルートの路面状況をクリアに見ることができ、安全に導くことができる。
【図面の簡単な説明】
【００１６】
【図１】本考案における局部部品の分解立体略図である。
【図２】本考案における分解立体略図である。
【図３】本考案における組立立体略図である。
【図４】本考案における壁に設置する略図である。
【図５】本考案における調整状態立体略図である。
【図６】本考案における調整状態立体略図である。
【図７】本考案における調整状態立体略図である。
【図８】本考案における調整状態立体略図である。
【考案を実施するための形態】
【００１７】
図１、図２及び図３に示すように、本考案の照明の向きを調整できるウォールランプに含まれるのは、ボックス１、基体２、回転台３及び少なくとも一つのランプ筒３３を含む。
【００１８】
該ボックス１を壁に嵌めこみ、内部にバッテリー１１及びプリント基板１２、カバー１３を設置し、該プリント基板１２はバッテリー１１及び交流電圧と電気接続する。該プリント基板１２に少なくとも一つの固定穴１２１を設置し、この実施例では固定穴１２１を三つにする。該カバー１３はボックス１と蓋合し、該カバー１３に一つの窓１３１を設ける。
【００１９】
該基体２の一端に固定部２１を設置し、該固定部２１に少なくとも一つの穴２２を設け、この実施例では３つの穴２２を開け、それぞれプリント基板１２の固定穴１２１と対応する。該基体２は少なくとも一つの固定部品２３を穴２２及び固定穴１２１に通すことで、基体２をプリント基板１２に固定する。該基体２の別端は内側に曲面状の基体槽２４を設ける。
【００２０】
該回転台３に含まれるのは、反射体３１、蓋３２、少なくとも一つのランプ筒３３及び光透過鏡３４である。該反射体３１の一端は基体槽２４に対応して設置し、別端は内側に収納槽３１１を設置する。該蓋３２は該収納槽３１１に密閉して設置し(該蓋３２を螺合、或いは粘着、掛合などの方法で収納槽３１１と結合)、該蓋３２に少なくとも一つの穴３２１を開け、この実施例では二つの穴３２１を開ける。該少なくとも一つのランプ筒３３の一端を該反射体３１の収納槽３１１内に設置し、別端を該穴３２１に対応する。該ランプ筒３３にプリント基板１２と電気接続する発光部品３３１を組み合わせ、該発光部品３３１はＬＥＤランプ(Ｌｉｇｈｔ Ｅｍｉｔｔｉｎｇ Ｄｉｏｄｅ)とする。該蓋３２の外側に光透過鏡３４を固定する(該光透過鏡３４は螺合、粘着、掛合のいずれかの結合方法で蓋３２の外側に固定する)。
【産業上の利用可能性】
【００２１】
交流電圧が正常に電気を供給する場合、該プリント基板１２を通じてバッテリー１１に充電を行なう。停電する際、該バッテリー１１は放電し、該プリント基板１２を通じて発光部品３３１を駆動し、光を放つ。図４に示すように、光は廊下の地面や階段にあて、周りの視程をクリアにすることで、方向と関連装置の位置が識別しやすく、避難ルートの状況がより分かりやすいために、安全に避難者を導くことができる。
【００２２】
本考案は基体２に基体槽２４を設け、及び反射体３１に基体槽２４を嵌め込むデザインにより、基体２をプリント基板１２に固定するため、回転台３全体が基体槽２４のカーブに沿って回転することができる。図５から図８に示すように、ユーザーは回転台３を適切な方向に回転することができ、必要とする方向に照明を当てることができる。
【００２３】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２４】
１、 ボックス
１１、バッテリー
１２、プリント基板
１２１、固定穴
１３、カバー
１３１、窓
２、基体
２１、固定部
２２、穴
２３、固定部品
２４、基体槽
３、回転台
３１、反射体
３１１、収納槽
３２、蓋
３２１、穴
３３、ランプ筒
３３１、発光部品
３４、光透過鏡
【図１】
0003163567.tif 000003
【図２】
0003163567.tif 000004
【図３】
0003163567.tif 000005
【図４】
0003163567.tif 000006
【図５】
0003163567.tif 000007
【図６】
0003163567.tif 000008
【図７】
0003163567.tif 000009
【図８】
0003163567.tif 000010